(57)【要約】【課題】  棺桶に収容した遺体の頭部を支える為の枕の提供。【解決手段】  枕は概略直方体のブロック本体１と中子２の２ピース構造とし、ブロック本体１は正面側には開口穴４を貫通して設け、この開口穴４に中子２を嵌め、中子２の厚さはブロック本体１の厚さより小さくして中子２は嵌った状態ではブロック本体１の上面に凹部３が形成される。【選択図】    図１
2015150363.tif 000002
【特許請求の範囲】
【請求項１】
棺桶に収容した遺体の頭部を支える為の枕において、該枕は概略直方体のブロック本体と中子の２ピース構造とし、ブロック本体は正面側には開口穴を貫通して設け、この開口穴に上記中子を嵌め、中子の厚さはブロック本体の厚さより小さくし、中子が開口穴に嵌った状態ではブロック本体の上面に頭部が位置する凹部を形成したことを特徴とする遺体の枕。
【請求項２】
上記開口穴の内周面に凹溝を設けると共に、中子の外周面には該凹溝に嵌る凸片を形成した請求項１記載の遺体の枕。
【請求項３】
上記開口穴の内周面に凸片を設けると共に、中子の外周面には該凸片が嵌る凹溝を形成した請求項１記載の遺体の枕。
【請求項４】
上記ブロック本体と中子の材質をポリウレタンフォームとした請求項１、請求項２、又は請求項３記載の遺体の枕。
【発明の詳細な説明】
【技術分野】
【０００１】
本発明は、棺桶に収容された遺体の頭部が位置ズレすることなく安定する枕に関するものである。
【背景技術】
【０００２】
遺体は棺桶に収容されて火葬されるが、火葬までの間には色々な行事が行われる。まず通夜が営まれ、翌日には葬儀が行われた後で火葬場へ運ばれて火葬されるが、葬儀後の出棺時には蓋を開けて遺体の周りに祭壇に使われた花を入れ、さらに火葬場では最後の別れとして再び蓋が開けられる。このように、棺桶に収容された遺体は、火葬されるまでに何度となく蓋を開ける為に、遺体の移動に際して、棺桶内で該遺体が位置ズレしないように、また頭部が枕から落下しないようにする必要がある。
【０００３】
棺桶に遺体を収容する際には、我々が日常使うより一回り小さい枕が使用されているが、頭部の安定性が悪く、移動する際には顔面が斜めに傾き易いという欠点がある。
また、一部では頭部を収納する凹所を設けた発泡ポリスチレン等の発泡樹脂製の枕も使用されるが、この凹所に頭部を嵌めて寝かす場合、顔面が上向きとなり過ぎて口が開いたりするのでは遺体の外観を悪くすることから、避けなくてはならない。
【０００４】
実開平７−５６２６号に係る「遺体用枕」は、遺体の頭部を収納する頭部収納部を有し、この頭部収納部の底部に、頭部の傾斜を調整する傾斜つきリブを設け、頭部収納部の両側に生花収納部を設け、かつ、頭部収納部を布で覆っている。
したがって、遺体の両側に花を挿すことが出来るため、顔を含めて遺体全体が花で包まれ、故人の装いを華やか、かつ厳かにすることが出来る。
【０００５】
第３０５８２７２号に係る「遺体用の枕」は、棺に納めた遺体の頭が、移動中に右又は左に傾くことの無いように安定させる目的と、省資源、芥問題解決に向け寄与するため、新聞紙、雑誌等の古紙を原料として作っている。そこで、古紙を水に溶かし液状となし、これを型によって上面中央部に適宜状の窪みを設けた形状としている。
【０００６】
図７は従来から使用している遺体の枕を表す一具体例である。同図に示す枕はベース板（イ）と上部板（ロ）の２枚の板材を重ね合せた構造とし、上部板（ロ）は正面側が切欠かれて遺体の頭部が嵌る凹部（ハ）を形成している。ここで、該ベース板（イ）は大きなブロックをカッターで輪切りして作られ、同じく上部板（ロ）も同じく大きなブロックをカッターにて一定厚さに輪切りすると共に上記凹部（ハ）を形成する為にその一部が切欠かれる。
【０００７】
そして、ベース板（イ）の上面と上部板（ロ）の下面に接着剤を塗布して互いに接着することで構成している。ここで、材質は一般にポリウレタンフォームが使用され、このポリウレタンフォームで作られたベース板（イ）と上部板（ロ）の表面に接着剤を塗布し、しかも正しく位置決めして接着する作業工程は面倒である。しかも、上部板（ロ）が切欠かれてその部分は廃棄される為に、材料の歩留まり率は低下する。
【特許文献１】実開平７−５６２６号に係る「遺体用枕」
【特許文献２】第３０５８２７２号に係る「遺体用の枕」
【発明の開示】
【発明が解決しようとする課題】
【０００８】
このように、従来の遺体の枕には上記のごとき問題がある。本発明が解決しようとする課題はこの問題点であり、極めて簡単な工程にて製作することが出来、コストも安くなる遺体の枕を提供する。
【課題を解決するための手段】
【０００９】
本発明に係る遺体の枕は、ポリウレタンフォームなどのクッション性のある樹脂を材質とし、全体の概略形態はブロック状で、その中央部には凹部を設けている。この凹部に遺体の頭部が嵌ることで位置ズレが防止されて安定するようにしたもので、基本的な形状は前記図７に示した従来の枕と共通している。しかし、本発明ではベース板と上部板を組み合せた構造ではなく、ブロック状の本体を有している。そして、ブロック本体は従来の枕を構成するベース板と上部板を合わせた厚さに相当する寸法としている。
【００１０】
そして、ブロック本体の正面側を切欠いて概略半円形の貫通した開口穴を形成し、この開口穴に中子を嵌合している。ここで、中子の厚さはブロック本体の厚さより小さくて、開口穴に中子を嵌合した状態でブロック本体の上面には凹部が形成される。しかも、開口穴に嵌る中子が位置ズレしないように、開口穴の内周に凹溝を設けると共に中子の外周に凸片を突出して凹溝に嵌るようにすることも出来る。また、開口穴の内周に凸片を設け、中子外周に凹溝を形成する場合もある。
【発明の効果】
【００１１】
本発明に係る遺体の枕はブロック本体に形成した開口穴に中子を嵌めたものであり、その製作は簡単で、しかもコストは安く成る。すなわち、ブロック本体は大きなブロックから輪切りして製作する事が出来、このブロック本体の正面側から切欠いて開口穴を切削することが出来る。そして、開口穴から切り抜かれた部材を一定厚さに切削することで中子を作ることが出来、切り抜いたこの中子の厚さを薄くして開口穴に嵌める。
【００１２】
したがって、前記図７に示した従来の遺体用枕のような接着工程は不要であり、また材料の歩留まり率も高くコストは安くなる。そして、上記開口穴に嵌る中子の厚さはブロック本体の厚さと関係なく自由に選定することが出来、その為に棺桶に収容された頭部は凹部に嵌って位置ズレすることはなく、しかも中子の厚さを調整することで遺体顔面の上向き加減を最適にすることが出来る。
【図面の簡単な説明】
【００１３】
【図１】本発明に係る遺体の枕を示す実施例。
【図２】枕を使って寝ている状態。
【図３】枕を構成するブロック本体。
【図４】枕を構成する中子。
【図５】ブロック本体から中子を切り抜くブロック板。
【図６】ブロック本体と中子を作るブロック柱。
【図７】従来の遺体用枕を示す具体例。
【発明を実施するための形態】
【００１４】
図１は本発明に係る遺体の枕を示す実施例で、（ａ）は平面図、（ｂ）は正面図を表している。同図の１はブロック本体、２は中子を表し、枕の外観は概略直方体のブロックであって、その上面１１の中央部には凹部３を形成している。このように、本発明に係る遺体の枕はブロック本体１と中子２の２ピース構造であって、その材質は一般にポリウレタンフォーム（スポンジ樹脂）が用いられる。
【００１５】
ところで、遺体の枕は棺桶に収容した遺体の頭部を支える為に使用され、その為に棺桶の頭部側に配置され、上記凹部３には棺桶に収容された遺体の頭部が嵌入する。従って、頭部は位置ズレすることはなく安定する。図２は本発明の枕を使って棺桶に収容されている遺体を表している。ここで、ブロック本体１は棺桶にガタ付くことなく収容されるように横幅寸法を定めている。
【００１６】
図３はブロック本体１を示し、（ａ）は平面図、（ｂ）は正面図をそれぞれ表している。このブロック本体１は概略直方体を成し、中央部の正面側には概略半円形の貫通した開口穴４を有している。すなわち、開口穴４はブロック本体１の厚さ方向に貫通し、そして開口穴４の内周面５には小さい凹溝６，６が中立軸（Ｏ−Ｏ）を中心として対称位置に設けている。
【００１７】
図４は中子２を単独で示している。この中子２は概略半円形のブロック板で、その厚さｈはブロック本体１の厚さＨに比べて小さく、一般的にはｈ≒Ｈ／２としている。そして、中子２の外周面７には中立軸（Ｍ−Ｍ）を中心として対称位置に小さい凸片８，８を突出して設けている。
ところで、この中子２は上記ブロック本体１の開口穴４に嵌合して取付けることが出来、前記図１に示した遺体の枕が構成される。
【００１８】
ところで、本発明に係る遺体の枕を構成するブロック本体１及び中子２を製作する方法に関しては特に限定しないが、該中子２はブロック本体１の開口穴４に嵌合するピースであることから、１つのブロック板９から切り抜くことが出来る。例えば、図５に示すように横寸法Ａ、縦寸法Ｂ、厚さ寸法Ｈの直方体ブロックを用い、このブロック板９において点線で示すラインに沿ってカッターで切断するならば、中子２となるピースが切り抜かれ、そして開口穴４を有すブロック本体１が出来上がる。そして、該ピースは厚さがＨであることから、中子２とする為にその厚さを約１／２に切断して使うことが出来る。
【００１９】
勿論、図５のブロック板９は、縦横寸法Ｂ、Ａを有す長いブロック柱１０を厚さＨに輪切りして使われる。
一方、図６に示すようなブロック柱１０を材料として用い、輪切りする前のブロック柱１０の段階で中子２と成る部材を切り出し、その後で厚さＨのブロック本体１に輪切りすることも可能である。そして、切り抜いた部材は厚さｈの寸法に輪切りすることで中子２が出来上がる。
【符号の説明】
【００２０】
１   ブロック本体
２   中子
３   凹部
４   開口穴
５   内周面
６   凹溝
７   外周面
８   凸片
９   ブロック板
10   ブロック柱
11   上面
【図１】
2015150363.tif 000003
【図２】
2015150363.tif 000004
【図３】
2015150363.tif 000005
【図４】
2015150363.tif 000006
【図５】
2015150363.tif 000007
【図６】
2015150363.tif 000008
【図７】
2015150363.tif 000009